(57)【要約】【課題】  机の下やロッカー内、ドア周り等の場所に散乱する履物を整理するための履物収納具を提供する。【解決手段】  弾性を持つ長方形の板の両端に吸盤を設け、その板を両端から丸めて吸盤を壁面にとりつけ、それによって出来た空間に履物を収納する履物収納具。【選択図】  図１
2006333875.tif 000002
【特許請求の範囲】
【請求項１】
弾性を持つ長方形の板の両端に吸盤を設け、その板を両端から丸めて吸盤を壁面に取り付け、それによって出来た空間に履物を収納する履物収納具。
【請求項２】
吸盤を磁石にした請求項１の履物収納具。
【発明の詳細な説明】
【技術分野】
【０００１】  本発明は机の下やロッカー内、ドアの周辺等に散乱する履物を整理できるように工夫したもので履物収納具に関するものである。
【背景技術】
【０００２】  従来、職場では通勤用と仕事用の履物を使い分けることが多く、机の下やロッカー内、ドア周り等には複数の履物が散乱していることが多い。
それを整理する手段として空き箱や棚等を利用して収納していた。
【発明の開示】
【発明が解決しようとする課題】
【０００３】  多くの場合、机の下やロッカー内等の場所には履物が置き場なく散乱しているか、たとえ空き箱や棚等を用いて整理しても、それらの物によって場所を取られるため、狭くなるという欠点があった。
本発明は、これらの問題を解決するためになされたものである。
【課題を解決するための手段】
【０００４】  弾性を持つ長方形の板の両端に吸盤を設ける。その板を両端から丸めた状態で吸盤を壁にとりつけ、それによって出来た空間に履物を収納する。以上を特徴とする履物収納具である。
【発明の効果】
【０００５】  本発明は通常は利用されない壁面を利用するので履物が散乱しがちな場所を効果的に整頓することができる。
また履物の種類や形状や大きさにかかわらず多様な履物を収納することが出来る。
また構造が簡素であるため安価に、かつ大量に生産することが可能である。
【発明を実施するための最良の形態】
【０００６】  以下本発明の実施の形態を説明する。
（イ）吸盤（１）は横溝式吸盤である。
この横溝式吸盤には吸盤の軸（２）があり、横溝（３）があり、横溝の中心軸（        ４）がある。
（ロ）板の素材はポリプロピレン等の弾力があり、かつ割れにくい素材を用いる。
板の大きさは幅６センチ、長さ４５センチ、厚みは１ミリである。
（ハ）弾性を持つ長方形の板（５）の両端に横溝式吸盤の取り付け穴（６）を複数個ず        つ設ける。
この穴は横溝式吸盤の、吸盤の軸と同直径の穴（７）と、横溝の中心軸と同直径        の穴（８）をとなりあわせに接して設けた形状である。
なお、吸盤の軸と同直径の穴（７）が板の中心側に位置し、横溝の中心軸と同直        径の穴（８）が板の中心から遠い側に位置する。
穴が複数個あるのは、履物の種類や形状や大きさによって調節できるようにする        ためである。
（ニ）板の両端に吸盤を一つずつとりつける。
取り付ける穴は履物の種類や大きさによって任意に決める。
各吸盤の軸（２）を吸盤の軸と同直径の穴（７）に差し込み、各吸盤を板の中心        から外側に向かってスライドさせると、横溝の中心軸（４）が横溝の中心軸と同        直径の穴（８）にぴたりとはまり、吸盤は抜け落ちることがない。
なおかつ横溝の中心軸（４）と、横溝の中心軸と同直径の穴（８）は、直径が同        じであるため、その摩擦力によって、吸盤を中心としての板の取り付け角度を広        めたり狭めたりしてもその角度が保持される。
この特性と、二つの吸盤の距離を調節することとによって、多様な種類や形状の        履物を保持することが可能となる。
また弾力のある板を丸めることによって生まれる反発力が、履物を保持し、また        出し入れするのにちょうど良い空間を作り出す要素となっている。
本発明は以上の構成よりなっている。
本発明を使用するときは、板（５）を横長にかつ吸盤（１）の吸着面を自分の側にして両端をそれぞれの手で持ち、取り付ける壁の前に立つ。
次に吸盤（１）の吸着面が壁の方を向くように板（５）の両端を壁側に丸め、履物の種類や大きさに応じて二つの吸盤の間隔を調節しながら吸盤を壁面に吸着させる。
すると板（５）は素材の弾力によって弧の形を形成するので、そこに履物を上から差し込んで収納する。
履物を差し込む向きは、履物の種類によりつま先から差し込む場合と踵から差し込む場合とがある。
履物の種類による二つの吸盤の間隔はおおよそ次のとおりである。
ハイヒールやパンプス  約１３センチ
サンダルやスリッパ    約１５センチ
男性用革靴            約１８センチ
スニーカー            約２０センチ
【実施例１】
【０００７】  本発明品を丸めずに伸ばしたまま取り付け、使用することもできる。
【実施例２】
【０００８】  本発明品を履物を収納する以外の目的にも使用することができる。
例）  帽子、作業用ヘルメット、風呂桶、鍋等。
【実施例３】
【０００９】  本発明品の大きさを大きく又は小さくして作る事もできる。
それにより、さらに多様な物を収納する事ができるようになる。
大きさの例  板の幅４センチ  長さ２０センチ。
例）  流し台のスポンジ類、文房具、タオル、ぬいぐるみ、ヘアブラシ等。
【実施例４】
【００１０】  本発明品の板の形状をアルファベットのＴの形に作ることもできる。
そのことにより、板と壁のすき間から落ちやすい形状の物品も安定して収納することが出来るようになる。
【図面の簡単な説明】
【００１１】
【図１】本発明の斜視図
【図２】本発明の分解斜視図
2006333875.tif 000003
【符号の説明】
【００１２】    １  吸盤
２  吸盤の軸
３  横溝
４  横溝の中心軸
５  板
６  取り付け穴
７  吸盤の軸と同直径の穴
８  横溝の中心軸と同直径に穴
【図１】
2006333875.tif 000004
【図２】
2006333875.tif 000005
【図３】
2006333875.tif 000006
【図４】
2006333875.tif 000007
【図５】
2006333875.tif 000008
【図６】
2006333875.tif 000009
【図７】
2006333875.tif 000010
【図８】
2006333875.tif 000011
【図９】
2006333875.tif 000012
【図１０】
2006333875.tif 000013
【図１１】
2006333875.tif 000014
【図１２】
2006333875.tif 000015
【手続補正書】
【提出日】平成16年11月26日(2004.11.26)
【手続補正１】
【補正対象書類名】明細書
【補正対象項目名】００１１
【補正方法】変更
【補正の内容】
【００１１】
【図１】    本発明の斜視図
【図２】    本発明の分解斜視図
【図３】    本発明の使用状態を示す斜視図
【図４】    本発明の使用状態を示す斜視図
【図５】    本発明の使用状態を示す斜視図
【図６】    本発明の使用状態を示す斜視図
【図７】    本発明の使用状態を示す斜視図
【図８】    本発明の使用状態を示す斜視図
【図９】    本発明の使用状態を示す斜視図
【図１０】    本発明の使用状態を示す斜視図
【図１１】    本発明の使用状態を示す斜視図
【図１２】    本発明の使用状態を示す斜視図